(57)【特許請求の範囲】
【請求項１】
中心軸を上下方向に向けて天井面に埋め込まれた照明器具本体の面状光源から射出された光を反射させるリフレクターにおいて、
前記中心軸を回転軸として所定形状の直線又は曲線を半回転させてできる回転面状に形成され、前記中心軸を含んで壁面に平行な基準面に対して前記壁面から遠い側に配設されて前記面状光源からの光を前記壁面側に向けて反射する壁面向け反射面と、
前記中心軸を回転軸として所定形状の直線又は曲線を半回転させてできる回転面状に形成され、前記基準面に対して前記壁面に近い側に配設された壁面下部向け反射面と、を備え、
前記壁面下部向け反射面は、前記面状光源からの直接光を規制する遮光板の下面に形成されるとともに、前記壁面向け反射面からの反射光の一部を前記壁面における下部に向けて反射する、
ことを特徴とするリフレクター。
【請求項２】
前記壁面下部向け反射面は、前記面状光源に近い上端側ほど縮径された円錐台状に形成されていて、上端内周縁に、前記面状光源からの直接光を規制するエッジを有する、
ことを特徴とする請求項１に記載のリフレクター。
【請求項３】
前記壁面下部向け反射面は、前記中心軸を含む平面で切った断面における傾斜角度が、前記壁面向け反射面からの反射光の一部が当たり、前記面状光源からの直接光は当たらない角度に設定されている、
ことを特徴とする請求項２に記載のリフレクター。
【請求項４】
前記壁面下部向け反射面は、前記上端内周縁に、前記面状光源に向かって延びる半割円筒状のルーバー部が設けられている、
ことを特徴とする請求項３に記載のリフレクター。
【請求項５】
天井面に取り付けられて使用される照明器具本体において、
下端側に凹状のリフレクター収納部を有するボディと、
前記リフレクター収納部の頂部に固定された面状光源と、
フランジ部を有し、一部又は全体が前記リフレクター収納部に収納されるリフレクターと、
前記ボディとの間に、前記フランジ部を挟持して前記リフレクターを位置決め保持する保持部材と、を備え、
前記リフレクターが、請求項１ないし４のいずれか１項に記載のリフレクターである、
ことを特徴とする照明器具本体。
【発明の詳細な説明】
【技術分野】
【０００１】
本発明は、面状光源からの光を反射させるリフレクター及びこれを備えた照明器具本体に関する。
【背景技術】
【０００２】
特許文献１には、天井面等に埋め込まれた照明器具に使用されるリフレクターが提案されている。
【０００３】
このリフレクターは、全体が下向きの椀形に形成された主反射面を有している。この主反射面は、ダウンライト等に使用される、光源光を床面に向けて下向きに反射させる反射面である。また、主反射面の一部には、補助反射面が設けてある。この補助反射面は、主反射面とは異なる楕円状傾斜面の複数の分割面が段部を介して連続する階段状の面によって構成されている。補助反射面は、光源光を主反射面よりも上方の範囲に反射させるようにしている。
【０００４】
このリフレクターを使用した照明器具を、例えば、壁面近傍の天井面に設置すれば、ウォールウォッシャー効果を得ることができる。すなわち、床面だけではなく、壁面をも照射することができる。
【先行技術文献】
【特許文献】
【０００５】
【特許文献１】特開２００３−１５７７０８号公報
【発明の概要】
【発明が解決しようとする課題】
【０００６】
しかしながら、上述の特許文献１の発明によれば、光源光を反射して壁面に向ける補助反射面は、主反射面のうちの、壁面に対峙する面（主反射面を壁面に近い側と遠い側とに２分した際の、遠い側の面）の一部にしか設けられていない。このため、壁面を照射することができるといっても、極めて狭い範囲しか照射することができないという問題があった。また、面状光源からの直接光を規制することができないという問題があった。
【０００７】
本発明は、上述した事情に鑑みてなされたものであり、壁面を広範囲にわたって均斉に照射するとともに、床面への直接光を規制することができるリフレクター、及びこれを備えた照明器具本体を提供することを目的とする。
【課題を解決するための手段】
【０００８】
請求項１に係る発明は、中心軸を上下方向に向けて天井面に埋め込まれた照明器具本体の面状光源から射出された光を反射させるリフレクターにおいて、前記中心軸を回転軸として所定形状の直線又は曲線を半回転させてできる回転面状に形成され、前記中心軸を含んで壁面に平行な基準面に対して前記壁面から遠い側に配設されて前記面状光源からの光を前記壁面側に向けて反射する壁面向け反射面と、前記中心軸を回転軸として所定形状の直線又は曲線を半回転させてできる回転面状に形成され、前記基準面に対して前記壁面に近い側に配設された壁面下部向け反射面と、を備え、前記壁面下部向け反射面は、前記面状光源からの直接光を規制する遮光板の下面に形成されるとともに、前記壁面向け反射面からの反射光の一部を前記壁面における下部に向けて反射する、ことを特徴とする。
【０００９】
請求項２に係る発明は、請求項１に係るリフレクターにおいて、前記壁面下部向け反射面は、前記面状光源に近い上端側ほど縮径された円錐台状に形成されていて、上端内周縁に、前記面状光源からの直接光を規制するエッジを有する、ことを特徴とする。
【００１０】
請求項３に係る発明は、請求項２に係るリフレクターにおいて、前記壁面下部向け反射面は、前記中心軸を含む平面で切った断面における傾斜角度が、前記壁面向け反射面からの反射光の一部が当たり、前記面状光源からの直接光は当たらない角度に設定されている、ことを特徴とする。
【００１１】
請求項４に係る発明は、請求項３に係るリフレクターにおいて、前記壁面下部向け反射面は、前記上端内周縁に、前記面状光源に向かって延びる半割円筒状のルーバー部が設けられている、ことを特徴とする。
【００１２】
請求項５に係る発明は、天井面に取り付けられて使用される照明器具本体において、下端側に凹状のリフレクター収納部を有するボディと、前記リフレクター収納部の頂部に固定された面状光源と、フランジ部を有し、一部又は全体が前記リフレクター収納部に収納されるリフレクターと、前記ボディとの間に、前記フランジ部を挟持して前記リフレクターを位置決め保持する保持部材と、を備え、前記リフレクターが、請求項１ないし４のいずれか１項に記載のリフレクターである、ことを特徴とする。
【発明の効果】
【００１３】
請求項１の発明によれば、遮光板は、その下面に、回転面状に形成された壁面下部向け反射面は、基準面に対して壁面に近い側に配設されているにもかかわらず、壁面向け反射面からの反射光の一部を、壁面における下部に向けて反射して、この領域を照射することができる。さらに、遮光板は、面状光源から出て、直接光として照明器具本体から出て行く直接光を規制することができる。
【００１４】
請求項２の発明によれば、壁面下部向け反射面は、円錐台状に形成されていて、面状光源に近い上端側ほど縮径されているので、上端内周縁のエッジは、面状光源に近い位置で、面状光源から出て、照明器具本体から直接出て行く直接光の光量を調整することができるため、面状光源から遠い位置の場合と比較して、光量の調整が容易である。
請求項３の発明によれば、壁面下部向け反射面には、面状光源からの直接光は当たらないので、反射光のコントロール性を高めることができる。
請求項４の発明によれば、ルーバー部により、面状光源から出た光の一部が、不要な箇所に進むのを防止することができる。
請求項５の発明によれば、上述のリフレクターを備えた照明器具本体は、上述のリフレクターの効果を、照明器具本体として奏することができる。
【図面の簡単な説明】
【００１５】
【図１】斜め上方から見た照明器具（ウォールウォッシャー型ダウンライト）の斜視図である。
【図２】図１中のＸ−Ｘ線矢視図である。
【図３】斜め上方から見た照明器具の分解斜視図である。
【図４】斜め下方から見た照明器具の分解斜視図である。
【図５】斜め上方から見たリフレクターの分解斜視図である。
【図６】斜め下方から見たリフレクターの分解斜視図である。
【図７】斜め上方から見たリフレクターの斜視図である。
【図８】（Ａ）〜（Ｃ）は天井面に対する埋込フレームの取付を説明する図であり、（Ｄ）〜（Ｆ）は埋込フレームに対する照明器具本体の取付を説明する図である。
【図９】リフレクターの壁面上部反射面による反射光を説明する光路図である。
【図１０】リフレクターの壁面下部反射面、補助反射面、及び床面用反射面による反射光を説明する光路図である。
【図１１】面状光源からの直接光を説明する光路図である。
【図１２】（Ａ），（Ｂ），（Ｃ）は照明器具本体による壁面及び床面の照射範囲を説明する光路図である。
【図１３】照明器具（ダウンライト）の図１中のＸ−Ｘ線矢視図に相当する図である。
【図１４】斜め上方から見た照明器具（ダウンライト）の分解斜視図である。
【図１５】斜め上方から見たリフレクターの斜視図である。
【発明を実施するための形態】
【００１６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図１６を参照して本発明を適用した実施形態１に係る照明器具１及びリフレクター５０について説明する。
【００１７】
このうち、図１は、斜め上方から見た照明器具１（ウォールウォッシャー型ダウンライト）の斜視図である。また、図２は、図１中のＸ−Ｘ線矢視図である。また、図３は、斜め上方から見た照明器具１の分解斜視図である。また、図４は、斜め下方から見た照明器具１の分解斜視図である。
【００１８】
なお、以下では照明器具１が、ウォールウォッシャー型ダウンライトである場合を例に説明する。ここで、ウォールウォッシャー型ダウンライトとは、床面Ｆ（図１２参照）に加え、壁面Ｗも照射する照明器具１であり、後述するようにこれに特化したリフレクター５０を備えている。
【００１９】
照明器具１として、ウォールウォッシャー型ダウンライトを例示する。この照明器具１は、図１〜図４に示すよう、埋込フレーム（本体取付具）１０と照明器具本体２０とを備えており、さらに、照明器具本体２０は、ボディ３０、面状光源４０、リフレクター５０、及びコーン（保持部材）６０を有している。
【００２０】
埋込フレーム１０は、筒状部１１と、その下端のフランジ部１２と、２組（複数）の取付ベース１３と、３個（複数）の固定ばね（係合凸部）１４と、埋込フレームばね１５とを有している。
【００２１】
このうち、２組の取付ベース１３は、筒状部１１を周方向に２等分する位置のそれぞれに配設されている。取付ベース１３は、筒状部１１から立設された２本の柱状部１３ａ，１３ａを有している。２本の柱状部１３ａ，１３ａは、間隙Ｇを介して相互に対向している。柱状部１３ａには、外面側の上下上方向に、多数の凹凸部１３ｂが形成されている。取付ベース１３は、埋込フレーム１０全体を、天井面Ｃ（図９参照）に固定する際に使用する取付金具１６を保持するためのものである。
【００２２】
３個の固定ばね１４は、筒状部１１を周方向に３等分する位置のそれぞれに固定されている。固定ばね１４は、屈曲形状の板ばねによって形成されていて、屈曲部１４ａを筒状部１１の内周面から内側に突出させるようにして、筒状部１１に固定されている。これら固定ばね１４，１４…は、後述する照明器具本体２０が、埋込フレーム１０に対して上下方向に着脱される際に、通過中のボディ３０によって退避され、コーン６０の段部６５が対応すると、復帰してここに係合されるようになっている。
【００２３】
埋込フレームばね１５は、セーフティワイヤ（落下防止用の索状体）１７（図８（Ｄ），（Ｅ）参照）の一方の端部１７ａの取付先となる。セーフティワイヤ１７の他方の端部１７ｂは、照明器具本体２０側のボディ３０に取り付けられている。
【００２４】
図８（Ａ）〜（Ｃ）、図９を参照して、天井面Ｃに対する埋込フレーム１０の取付方法について説明する。なお、図９は、リフレクター５０の反射面Ｆ１による反射光を説明する光路図であるが、この図を、埋込フレーム１０の取付方法の説明に援用する。
【００２５】
図８（Ａ）〜（Ｃ），図９に示すように、取付金具１６は、屈曲形状の板ばねである。取付金具１６は、緩く屈曲された方形のばね部１６ａと、ばね部１６ａの一辺に連続する幅狭の屈曲部１６ｂと、屈曲部１６ｂの端部に設けられ幅広の係合部１６ｃとを有している。
【００２６】
まず、図９に示す天井板Ｃｂに穿設された取付孔Ｈに、埋込フレーム１０の筒状部１１を挿入し、フランジ部１２を天井面Ｃに突き当てる。この状態を維持したまま、取付ベース１３に取付金具１６を取り付ける。このとき取付金具１６の屈曲部１６ｂを取付ベース１３の２つの柱状部１３ａの間の間隙Ｇに上から挿入し、取付金具１６を動かなくなるまで押し下げる。これにより、係合部１６ｃは、柱状部１３ａ，１３ａに内面に係合される。また、ばね部１６ａは、その先端部が付勢力を持って天井板Ｃｂの裏面に当接され、屈曲部１６ｂ側の一辺が、柱状部１３ａの凹凸部１３ｂに食い込む。この状態を維持して、ねじ１８を締め付ける。ねじ１８は、屈曲部１６ｂの透孔（不図示）を貫通し、先端側をばね部１６ａに螺合させている。このため、ねじ１８を締め付けることにより、ばね部１６ａをさらに変形させて係合部１６ｃ側に引き寄せることができる。これにより、ばね部１６ａは、強い付勢力をもって、フランジ部１２との間に、天井板Ｃｂを挟持することができる。
同様の作業を、２箇所の取付ベース１３について行うことで、埋込フレーム１０を天井面Ｃに確実に取り付けることができる。
図１〜図４に戻り、照明器具本体２０について、ボディ３０から説明を始める。
ボディ３０は、下端側が開口されたリフレクター収納部３１と、多数の冷却フィン３２とを有している。
【００２７】
このうちリフレクター収納部３１は、下側から順に、筒状部３１ａ、円錐台状部３１ｂ、天井部３１ｃ、及び筒状部３１ｄを有している。筒状部３１ａの下端部（以下適宜、ボディ３０の下端部という。）３１ｅは、後述するリフレクター５０のフランジ部５１ａを、コーン６０との間で、挟持する。また、筒状部３１ａの外周面には、３箇所に凹状のねじ受け部３１ｇが設けてある。このねじ受け部３１ｇは、コーン６０をボディ３０に固定するための固定ねじ（締結具）Ｎの先端が当接される。天井部３１ｃの下面は、光源取付面（頂部）３１ｆとなっている。リフレクター収納部３１は、上述の筒状部３１ａ、円錐台状部３１ｂ、及び天井部３１ｃによって、リフレクター収納空間Ｒを構成している。このリフレクター収納空間Ｒには、リフレクター５０の一部又はほぼ全体が収納される。
【００２８】
冷却フィン３２は、リフレクター収納部３１の外周面から外側に向かって放射状に延びるように形成され、さらに上側にも延びるように形成されている。冷却フィン３２は、リフレクター収納部３１の外周面の周方向に沿って、等間隔で多数配設されている。
【００２９】
ボディ３０は、面状光源４０を保持し、リフレクター５０の一部又はほぼ全体を収納し、また、面状光源４０で発生した熱を、多数の冷却フィン３２によって放熱するものである。
【００３０】
面状光源４０は、基板４１と、この基板４１によって支持された複数（多数）のＬＥＤランプ４２とを有している。複数のＬＥＤランプ４２は、ほぼ隙間なく２次元的に整列されていて、全体として面状の光源を構成している。なお、上述の面状光源４０に代えて、ＣＯＢ（チップオンボード）タイプの面状光源を使用することも可能である。
【００３１】
面状光源４０は、その中心Ｏを、照明器具１の中心軸Ｃ０に合わせて、ボディ３０の光源取付面３１ｆに固定されている。なお、面状光源４０に近接して、コードクランプ４３が配設されている。
【００３２】
リフレクター５０は、フランジ部５１ａを有する上リフレクター５１と、下リフレクター５２とを上下方向に組み合わせて構成されている。なお、リフレクター５０については、次のコーン６０を説明した後に詳述する。
コーン６０は、円錐台状部６１と、下フランジ部６２と、上フランジ部６３と、舌片部６４とを有している。
【００３３】
このうち、円錐台状部６１は、上側ほど縮径された円筒状に形成されている。下フランジ部６２は、円錐台状部６１の下端に設けられている。また、上フランジ部６３と円錐台状部６１との間には、段部（係合凹部）６５が形成されている。この段部６５には、上述の埋込フレーム１０に照明器具本体２０を係脱する際に、埋込フレーム１０側の固定ばね（係合凸部）１４が係脱される。舌片部６４は、図示例では、８個のものが、上フランジ部６３の上端面を周方向に８等分する位置のそれぞれに立設されている。各舌片部６４の下端部は、内側に屈曲されていて、台座６４ａを構成している。これらの台座６４ａは、リフレクター５０のフランジ部５１ａの下面を下方から支持するものである。また、８個の舌片部６４のうち、３個には、雌ねじ部６４ｂが螺刻されている。ボディ３０にコーン６０を固定する際、これら雌ねじ部６４ｂに螺合された固定ねじＮを締め付けることにより、固定ねじＮの先端がボディ３０のねじ受け部３１ｇを強く押し付ける。これにより、ボディ３０にコーン６０を確実の固定することができる。
【００３４】
次に、図２、図５〜図７を参照して、リフレクター５０について詳述する。ここで、図２は、上述のように、図１中のＸ−Ｘ線矢視図である。ここで、図２は、図５に示す基準面Ｓで切った断面に相当する。図５は、斜め上方から見たリフレクター５０の分解斜視図である。なお、図５において、基準面Ｓは、中心軸Ｃ０を通り、壁面（図１２参照）Ｗ平行な仮想平面である。この基準面Ｓに対して、壁面Ｗに近い側を矢印Ａで示し、壁面Ｗから遠い側を矢印Ｂで示している。また、図６は、斜め下方から見たリフレクター５０の分解斜視図である。また、図７は、斜め上方から見たリフレクターの斜視図である。
【００３５】
リフレクター５０は、上リフレクター５１と下リフレクター５２とを上下方向に組み合わせることによって構成されている。これら上リフレクター５１及び下リフレクター５２は、いずれも基準面Ｓに対して、壁面Ｗに近い側（矢印Ａ側；以下単に「Ａ側」という。）側と遠い側（矢印Ｂ側：以下単に「Ｂ側」という。））で構成が大きく異なる。
【００３６】
上リフレクター５１は、Ａ側及びＢ側に跨るフランジ部５１ａを有している。ただし、フランジ部５１ａは、Ａ側においては板状に、またＢ側においては鍔状に形成されている。フランジ部５１ａにおけるＡ側には、周縁部近傍に透孔５１ｂが穿設されている。透孔５１ｂには、固定ねじ（不図示）が上方から貫通されている。フランジ部５１ａにおけるＡ側には、中心軸Ｃ０近傍に、半割円筒状のルーバー部５１ｃが面状光源４０に向かって立設されている。ルーバー部５１ｃの周方向に沿っての両端には、それぞれ遮光壁５１ｄがほぼ基準面Ｓ上に乗る位置に設けてある。ルーバー部５１ｃ、遮光壁５１ｄ、及びフランジ部５１ａのうちのＡ側に位置する部分は、面状光源４０から出た不要な光が照明器具本体２０から出て行くことを防止するためのものである。
【００３７】
上リフレクター５１のＢ側には、ほぼ半割円筒状の反射板５１ｅがフランジ部５１ａの上側と下側とに跨るように形成されている。反射板５１ｅの内周面には、ほぼ下端側ほど縮径された反射面（壁面向け反射面）５１ｆが形成されている。この反射面５１ｆは、面状光源４０からの光を主に壁面Ｗに向けて反射するものである。詳しくは、反射面５１ｆは、機能別に上下に３つに分けられていて、下から順に、第１の反射面Ｆ１、第２の反射面Ｆ２、第３の反射面Ｆ３となっている。なお、以下では、単に、反射面Ｆ１，Ｆ２，Ｆ３という。これら反射面Ｆ１，Ｆ２，Ｆ３は、図２に示す断面上の所定の線を、中心軸Ｃ０を中心として半回転させてできる回転面であるといえる。
【００３８】
反射板５１ｅには、図５に示すように、周方向に長いスリット５１ｇが形成されている。スリット５１ｇは、その上端が、フランジ部５１ａの下面高さ位置と合うように形成されている。このスリット５１ｇには、図３に示す拡散板５３の先端の突起部５３ａが挿入される。なお、拡散板５３の後端の半円部５３ｂは、ルーバー部５１ｃの下端に対応している。
【００３９】
図６に示すように、反射面Ｆ１，Ｆ２の境界Ｂ１は、上リフレクター５１の下端５１ｈ近傍となる。一方、反射面Ｆ２，Ｆ３の境界Ｂ２は、スリット５１ｇの上端（フランジ部５１ａの裏面）と同じ高さ位置となる。
なお、反射面Ｆ１，Ｆ２，Ｆ３については、次の、下リフレクター５２を説明した後に詳述する。
【００４０】
下リフレクター５２は、図２、図５〜図７に示すように、Ａ側に、半割円錐台状の遮光板５２ａを有している。遮光板５２ａの上端面５２ｂは、上リフレクター５１のルーバー部５１ｃの下端部に対応している。遮光板５２ａの周方向の両端部には、遮光壁５２ｃが設けてある。これら遮光壁５２ｃは、上リフレクター５１の遮光壁５１ｄに対応する位置に設けられている。遮光壁５２ｃの上端における最外端には、スペーサ５２ｄが突設されている。下リフレクター５２は、このスペーサ５２ｄをフランジ部５１ａの下面に当接させることで、このフランジ部５１ａの下面と、遮光板５２ａの上端面５２ｂ及び遮光壁５２ｃの上端との間に、上述の拡散板５３を装着するためのスペースを確保している。遮光板５２ａの外周面には、台座５２ｅが設けられ、この台座５２ｅ上端面には、雌ねじ部５２ｆは、上リフレクター５１の透孔５１ｂに対応している。
【００４１】
遮光板５２ａの内面（下面）には、円錐台状の第４の反射面（壁面下部向け反射面、他の反射面）Ｆ４（以下単に、反射面Ｆ４という。）が形成されている。図６に示すように、反射面Ｆ４の周方向に沿っての両端には、遮光壁５２ｊが設けられている。反射面Ｆ４は、面状光源４０から出て、反射面Ｆ３で反射された光を、さらに反射させて、その反射光を壁面Ｗの下部又は床面Ｆに向けるものである。なお、図５に示す例では、遮光板５２ａ、及び反射面Ｆ４は、円錐台状に形成されていて、図２に示す断面において直線状に図示されているが、これに代えて、図２に示す断面形状が、緩やかに湾曲する曲線状であってもよい。
【００４２】
下リフレクター５２におけるＢ側には、Ａ側に続く、半割環状のカバー部５２ｇが設けてある。カバー部５２ｇには、係合部５２ｈが突設されている。この係合部５２ｈには、図２に示すように、上リフレクター５１の反射板５１ｅの外周面から突設された突起５１ｊが係合される。
上リフレクター５１と下リフレクター５２とは、ねじ止めされて固定される。
【００４３】
上リフレクター５１と下リフレクター５２とを上下方向に合わせ、下リフレクター５２側の係合部５２ｈを上リフレクター５１側の突起５１ｊに係合させ、上リフレクター５１側の透孔５１ｂを貫通させた固定ねじ（不図示）を下リフレクター５２側の雌ねじ部５２ｆに螺合させて締め付けることにより、上リフレクター５１と下リフレクター５２とが一体となって、リフレクター５０を構成する。
つづいて、図９〜図１２を参照して、リフレクター５０の反射面Ｆ１〜Ｆ４について詳述する。
【００４４】
このうち、図９は、リフレクター５０の反射面Ｆ１による反射光を説明する光路図である。また、図１０は、リフレクター５０の反射面Ｆ２〜Ｆ４による反射光を説明する光路図である。また、図１１は、面状光源４０からの直接光を説明する光路図である。また、図１２（Ａ），（Ｂ），（Ｃ）は照明器具本体２０による壁面Ｗ及び床面Ｆの照射範囲を説明する光路図である。ここで、壁面Ｗから照明器具１までの距離は、例えば、６００ｍｍ、また、床面Ｆから照明器具１（天井面Ｃ）までの高さは、例えば、３０００ｍに設定されている。なお、これら図９〜図１２は、図２に示す断面と同じ断面を示している。
【００４５】
反射面Ｆ１〜Ｆ４のうち、反射面Ｆ１は、楕円の一部によって形成されている。反射面Ｆ１の下端縁Ｄは、反射面Ｆ４の下端開口部Ｋよりも下方に突出されている。この下端開口部Ｋは、基準面Ｓに対して壁面Ｗに近い側に位置する部分の下端開口部となる。反射面Ｆ１は、一方の焦点ｆ１が下端開口部Ｋよりも上側でかつ面状光源から反射面Ｆ１に至る光の光路中に配置され、他方の焦点ｆ２が下端開口部Ｋよりも下側でかつ下端縁Ｄと下端開口部Ｋとの間の高さ位置に配置されている。また、一方の焦点ｆ１と他方の焦点ｆ２とは、同一鉛直線上に配置されている。つまり、楕円の長軸Ｘａが鉛直方向を向いている。
【００４６】
さらに、好ましくは、反射面Ｆ１は、一方の焦点ｆ１が、面状光源の中心Ｏと下端縁Ｄとを結ぶ直線上に配置され、他方の焦点ｆ２が、下端縁Ｄを通る水平線上に配置されているとよい。本実施形態では、この構成を採用している。
【００４７】
これにより、面状光源４０から出て、一方の焦点ｆ１を通って反射面Ｆ１の下端縁Ｄ近傍で反射された光は、他方の焦点ｆ２を通って、天井面Ｃとほぼ平行に進み、壁面Ｗにおける天井際を良好に照らすことができる。そして、反射面Ｆ１全体としては、図１２（Ａ）に示すように、天井際を含む、壁面Ｗの上部を照射することができる。
【００４８】
反射面Ｆ２は、下端が反射面Ｆ１に滑らかに連続し、少しずつ中心軸から離れながら上方に延びる直線状に形成されている。また、反射面Ｆ３は、反射面Ｆ２と同一の直線状に配置されている。なお、反射面Ｆ２，Ｆ３は、緩やかに湾曲する曲線状であってもよい。さらに、反射面Ｆ４は、上端側ほど中心軸Ｃ０に近づく、傾斜した直線状に形成されている。さらに、反射面Ｆ４の傾斜角度は、面状光源４０からでた直接光は当たらないが、面状光源４０から出て反射面Ｆ３で反射された反射光は当たるように設定されている。
【００４９】
図１０、図１２（Ｂ）に示すように、反射面Ｆ２は、面状光源４０から出た光を壁面Ｗに向けて反射し、壁面Ｗの中間部を照射する。また、反射面Ｆ３は、面状光源４０から出た光を反射面Ｆ４に向けて反射し、反射面Ｆ４は、反射面Ｆ３からの反射光をさらに壁面Ｗに向けて反射し、壁面Ｗの下部を照射する。
なお、反射面Ｆ１〜Ｆ４によって照射される壁面Ｗの上部、中間部、下部とは相対的なものであり、これらは適宜オーバーラップされる。
【００５０】
図１１に示すように、面状光源４０からの直接光は、反射面Ｆ４の上端内端縁の半円形のエッジＥ１、及びカバー部５２ｇの内端縁の半円状のエッジＥ２によって規制されるグレアカットアングルで照明器具本体２０から出射されて、床面Ｆを照射する。なお、以上では、カバー部５２ｇの内端縁がエッジＥ２となる場合を説明したが、例えば、カバー部５２ｇの内端縁よりも、反射面Ｆ３の下端縁Ｄの方が内側に位置する場合には、この下端縁ＤがエッジＥ２となる。
【００５１】
このように、リフレクター５０によると、上述の反射面Ｆ１〜Ｆ４、及びエッジＥ１、Ｅ２により、壁面Ｗにおける天井際を含む上部、中間部、下部、及び床面Ｆを制御性の高い反射光、及び直接光によって良好に照射することができる。
【００５２】
図１４は、照明器具２として例示するダウンライトの、斜め上方から見た斜視図である。この照明器具２は、図３に示す照明器具１（ウォールウォッシャー型ダウンライト）と比較すると、埋込フレーム１０、ボディ３０、面状光源４０、及びコーン６０が同様（共通）であり、リフレクター５０Ａ、及び拡散板５３Ａが異なる。リフレクター５０Ａは、図１５に示すように、ほぼ椀状に形成されていて、反射面Ｆ６，Ｆ７を有し、さらに下端にはフランジ部５１Ａを有している。このフランジ部５１Ａは、鍔状に形成されていて、照明器具１のリフレクター５０のフランジ部５１ａのうちの、外周側に位置する部分とほぼ同形である。この部分は、ボディ３０とコーン６０とによって挟持される部分である。つまり、ボディ３０とコーン６０とによってフランジ部を挟持するという点に限れば、リフレクター５０のフランジ部５１ａと、リフレクター５０Ａのフランジ部５１Ａとは同じであるといえる。
【００５３】
上述のように、照明器具１，２は、拡散板５３，５３Ａを除くと、リフレクター５０，５０Ａ以外の、埋込フレーム１０、ボディ３０、面状光源４０、及びコーン６０がすべて共通である。さらに、相互に異なるリフレクター５０，５０Ａについてもそれぞれのフランジ部５１ａ，５１Ａが同じである。このため、例えば、照明器具１のリフレクター５０を、リフレクター５０Ａに交換して、照明器具２を構成することは、容易である。逆も同様である。すなわち、照明器具２のリフレクター５０Ａをリフレクター５０に交換して照明器具１を構成することも容易である。
なお、拡散板５３，５３Ａは、必要に応じて適宜配設すればよく、省略することも可能である。
【００５４】
このように、種々の機能に特化した、フランジ部が同様のリフレクターを複数種準備しておき、照明シーンに合わせて、リフレクターを交換することにより、照明器具を他の照明器具として利用することができる。
【００５５】
以上説明した、照明器具１は、天井面Ｃに固定される埋込フレーム１０と、照明器具本体２０とを備えている。照明器具本体２０は、面状光源４０が固定されたボディ３０にコーン６０をねじ止めして固定する。このとき、ボディ３０とコーン６０とによって、リフレクター５０のフランジ部５１ａを挟持することで、リフレクター５０を保持することができる。つまり、リフレクター５０を取り付けるための専用の作業は不要であり、ボディ３０にコーン６０をねじ止めすのと並行して、リフレクター５０を位置決め保持することが可能である。このため、リフレクター５０は、同様にフランジ部を有する他のリフレクターに比較的容易に交換することができる。
【００５６】
また、こうして一体化された照明器具本体２０の埋込フレーム１０に対する着脱も天井面の下方から比較的簡単に行える。すなわち、図８（Ｄ）〜（Ｆ）に示すように、まず、他方の端部１７ｂが照明器具本体２０に取り付けられているセーフティワイヤ１７の一方の端部１７ａを、埋込フレーム１０側の埋込フレームばね１５に取り付ける。その後、（Ｆ）に示すように、照明器具本体２０を、そのコーン６０の外面を両手でつかんで、埋込フレーム１０の内側に挿入しつつ、上方に持ち上げる。そして、通過中のボディ３０によって退避されていた埋込フレーム１０側の固定ばね１４は、コーン６０の段部６５が到達すると、付勢力により復帰して、段部６５に付勢力を持って係合される。これにより、照明器具本体２０は、埋込フレーム１０に対して位置決め固定される。
なお、埋込フレーム１０から照明器具本体２０を取り外す際には、上述の取付時と逆の手順を踏むことにより、簡単に取り外すことができる。
【００５７】
以上のように、照明器具本体２０におけるリフレクター５０の交換が容易であり、埋込フレーム１０に対する照明器具本体２０の着脱が容易である。したがって、天井面Ｃに一旦セットされた照明器具１において、シーンに応じて、リフレクターを簡単に使い分けることができる。例えば、照明器具１をウォールウォッシャー型ダウンライトとして使用する場合には、これに特化したリフレクター５０を使用することで、床面Ｆ及び壁面Ｗを最適な配向の下で照射することができる。また、照明器具１をダウンライトとして使用する場合には、これに特化したリフレクター５０Ａを使用することで、床面Ｆを最適な配向の下で照射することができる。さらに、これらのリフレクター５０，５０Ａに限定されず、他の機能に特化したリフレクターを使用すれば、他の照明器具を構成することができる。つまり、リフレクター以外の他の部材はほとんどそのまま流用して、他の照明器具を構成することができる。
【００５８】
以上説明したリフレクター５０は、上述の反射面Ｆ１〜Ｆ４、及びエッジＥ１、Ｅ２により、壁面Ｗにおける天井際を含む上部、中間部、下部、及び床面Ｆを制御性の高い反射光、及び直接光によって良好に照射することができる。
上述の反射面Ｆ１を有することにより、壁面Ｗにおける天井際を含む壁面の上部を制御性の高い光で良好に照射することができる。
【００５９】
また、上述の反射面Ｆ１〜Ｆ４を有することにより、壁面Ｗの上部を反射面Ｆ１により、中間部を反射面Ｆ２により、そして、反射面Ｆ３，Ｆ４により下部を照明することができ、壁面Ｗ全体を制御性の高い光で照明することができる。
また、エッジＥ１，Ｅ２を設けることで、面状光源４０から出て床面を照射する直接光の光量を絞ることができる。
最後に、照明器具１、照明器具本体２０、リフレクター５０の作用、効果をまとめて記載する。なお、一部、上述と重複する部分がある。
【００６０】
・ボディ３０、面状光源４０、リフレクター５０、及びコーン６０を有する照明器具本体２０は、面状光源４０がボディ３０に固定され、また、リフレクター５０がボディ３０とコーン６０との間で挟持されるので、ボディ３０に対してコーン６０を固定することにより、全体を一体的に構成することができる。逆に言うと、ボディ３０からコーン６０を取り外すことにより、リフレクター５０を簡単に取り外し、取り付けることができる。つまり、同様のフランジ部を有するリフレクターであれば、複数種の、それぞれの機能が照明シーンに合わせて特化された専用のリフレクターに容易に交換することができる。
全体が一体的に構成された照明器具本体２０は、天井面Ｃの取付孔Ｈに固定された埋込フレーム１０に対して下方から着脱することができる。
【００６１】
このように、照明器具１は、天井面Ｃに埋め込むようにして設置した後であっても、下方から照明器具本体２０の全体を取り外し、さらに、ボディ３０からコーン６０を取り外すことにより、リフレクター５０を簡単に交換することができる。このため、照明シーンに合わせて、機能が特化したリフレクターを使用することによって、最適な光の制御を行うことができる。
【００６２】
・照明器具本体２０は、ボディ３０、面状光源４０、コーン６０は、共通で使用し、リフレクターを交換することにより、例えば、床面Ｆ専用のリフレクター５０Ａによって床面Ｆを、また、床面Ｆ及び壁面Ｗ専用のリフレクター５０によって床面Ｆ及び壁面Ｗを、最適に制御された光により照射することができる。
【００６３】
・照明器具本体２０は、ボディ３０とコーン６０とが固定ねじＮで固定されているので、この固定ねじＮを取り外さない限り、両者を分解することができない。さらに、固定ねじＮは、照明器具本体２０が所定の取付位置に装着された状態においては、下方から視認、及びアクセスすることができない。つまり、下方から、照明器具本体２０の全体を埋込フレーム１０から取り外すつもりで、誤って固定ねじＮを取り外してしまうおそれがない。さらに言うと、天井面Ｃの下方から照明器具１に対して行える作業は、照明器具本体２０を全体として、埋込フレーム１０から取り外し、また、取り付ける作業に限定される。
【００６４】
・照明器具１は、コーン６０に段部６５が設けられ、埋込フレーム１０には、弾性変形して退避可能な固定ばね１４が設けられている。このため、埋込フレーム１０から照明器具本体２０を取り外す際には、単に、照明器具本体２０を下方に（強く）引くことにより、工具等を使用することなく簡単に取り外すことができる。逆に、埋込フレーム１０に照明器具本体２０を取り付ける際には、単に、照明器具本体２０を下方から上方に押し上げることにより、工具等を使用することなく簡単に取り付けることができる。
【００６５】
・照明器具１に対して、天井面Ｃの下方から行える作業は、埋込フレーム１０に対して照明器具本体２０を着脱する作業に限定されるところ、埋込フレーム１０と照明器具本体２０とは、セーフティワイヤ１７で連結されているので、着脱作業中に、照明器具本体２０の全体あるいはその一部（例えば、コーン６０）が落下するおそれはない。
【００６６】
・リフレクター５０は、リフレクター５０は、回転面状に形成されて、基準面Ｓに対し壁面Ｗから遠い側に配設された壁面向け反射面５１ｆを備え、この壁面向け反射面５１ｆは、下端部に、中心軸Ｃ０を含み基準面Ｓに直交する平面で切った断面形状が楕円の一部である第１の反射面Ｆ１を有している。この第１の反射面Ｆ１は、面状光源４０から出た光を反射して、その反射光を壁面Ｗにおける天井際に向けることが可能である。
【００６７】
・反射面Ｆ１にあっては、面状光源４０から出て一方の焦点ｆ１を通る光は、他方の焦点ｆ２を通って、天井際に向かって進むので、反射面Ｆ１の下端縁Ｄの、下端開口部Ｋからの突出量を少なくすることができる。
【００６８】
・反射面Ｆ１は、その下端縁Ｄの、下端開口部Ｋからの突出量が、０に近い場合であっても、面状光源の中心から出て一方の焦点を通過して、第１反射面の下端縁で反射された光は、他方の焦点ｆ２を通って、天井面Ｃと平行に進んで、壁面Ｗにおける天井際に当たる。このため、天井面Ｃにおける壁面Ｗとの境界近傍が不要に照射されることがない。
【００６９】
・反射面Ｆ１は、楕円の一方の焦点ｆ１と他方の焦点ｆ２とが同一鉛直線上にあるので、同一鉛直線上にない場合と比較して、楕円の大きさや位置を決定するのが容易となる。なお、鉛直線上にないように構成することも可能である。
【００７０】
・リフレクター５０は、壁面向け反射面５１ｆを、上下方向に３つに分けて、第１の反射面Ｆ１からの反射光、第２の反射面Ｆ２からの反射光、第３の反射面Ｆ３からさらに他の反射面Ｆ４を介しての反射光を、この順に壁面Ｗの上部、中間部、下部に向けることができる。ここで、壁面Ｗにおける上部、中間部、下部とは相対的なもので、上部とは天井際を含みこれよりも下側の領域をいい、下部とは床面Ｆ近傍を含みこれよりも上側の領域をいい、中間部とは、これら２つの領域の間の領域をいう。すなわち、壁面Ｗの天井際から床面Ｆ近傍までの全体を、第１の反射面Ｆ１、第２の反射面Ｆ２、第３の反射面Ｆ３による反射光により、壁面Ｗの天井際から床面Ｆ近傍までの全体を照射することができる。このため、第１の反射面Ｆ１、第２の反射面Ｆ２、第３の反射面Ｆ３を、それぞれの領域を照射するのに好適な位置及び形状に設定することができ、壁面Ｗ全体をコントロール性の高い光で、均斉に照射することができる。
なお、床面については、壁面向け反射面が、回転面状に形成されている等に基づき、面状光源からの直接光で照射することが可能である。
【００７１】
・回転面状に形成された反射面Ｆ４は、基準面Ｓに対して壁面Ｗに近い側に配設されているにもかかわらず、壁面向け反射面５１ｆからの反射光の一部を、壁面Ｗにおける下部に向けて反射して、この領域を照射することができる。さらに、遮光板５２ａは、面状光源４０から出て、直接光として照明器具本体２０から出て行く直接光を規制することができる。
【００７２】
・反射面Ｆ４は、円錐台状に形成されていて、面状光源４０に近い上端側ほど縮径されているので、上端内周縁のエッジＥ１は、面状光源４０に近い位置で、面状光源４０から出て、照明器具本体２０から直接出て行く直接光の光量を調整することができるため、面状光源４０から遠い位置の場合と比較して、光量の調整が容易である。
・反射面Ｆ４には、面状光源４０からの直接光は当たらないので、反射光のコントロール性を高めることができる。
・反射面Ｆ４は、ルーバー部５１ｃにより、面状光源４０から出た光の一部が、不要な箇所に進むのを防止することができる。
【符号の説明】
【００７３】
１      照明器具
１０    埋込フレーム（本体取付具）
１４    固定ばね（係合凸部）
１７    セーフティワイヤ（落下防止用の索状体）
２０    照明器具本体
３０    ボディ
３１ｆ  （頂部）
３１ｇ  係合凹部
４０    面状光源
５０    リフレクター（ウォールウォッシャー型ダウンライトに使用するリフレクター）
５０Ａ  リフレクター（ダウンライトに使用するリフレクター）
５１ａ，５１Ａ    フランジ部
５１ｃ  ルーバー部
５１ｆ  壁面向け反射面
５２ａ  遮光板
６０    コーン（保持部材）
６５    係合凹部
Ｃ      天井面
Ｃ０    中心軸
Ｄ      下端縁
Ｅ１    エッジ（上端内周縁）
Ｅ２    エッジ
Ｆ１    第１の反射面
Ｆ２    第２の反射面
Ｆ３    第３の反射面
Ｆ４    第４の反射面（壁面下部向け反射面、他の反射面）
ｆ１    一方の焦点
ｆ２    他方の焦点
Ｈ      取付孔
Ｋ      下端開口部
Ｎ      固定ねじ（締結具）
Ｒ      リフレクター収納部
Ｓ      基準面
【図１】
0006431728.tif 000002
【図２】
0006431728.tif 000003
【図３】
0006431728.tif 000004
【図４】
0006431728.tif 000005
【図５】
0006431728.tif 000006
【図６】
0006431728.tif 000007
【図７】
0006431728.tif 000008
【図８】
0006431728.tif 000009
【図９】
0006431728.tif 000010
【図１０】
0006431728.tif 000011
【図１１】
0006431728.tif 000012
【図１２】
0006431728.tif 000013
【図１３】
0006431728.tif 000014
【図１４】
0006431728.tif 000015
【図１５】
0006431728.tif 000016